(57)【要約】【課題】部品点数が比較的少なく、組み付けも容易なパネル型カーテンを提供すること。【解決手段】本発明は、カーテンレールのランナーに支持具８を介して吊着されたパネル型カーテン１００であって、表側面に設けられた第１レール部１ａ、及び、裏側面に設けられた第１支持部２ａ、を有する本体バー１０と、裏側に突出するように前端部１０ａに設けられ第１レール部１ａにスライド可能に嵌め込まれた第１スライダー３ａ、及び、裏側面に設けられた第２支持部２ｂを有する第１連結バー１１と、第１支持部２ａに支持された第１カーテン材９ａと、第２支持部２ｂに支持された第２カーテン材９ｂと、を備え、本体バー１０及び第１連結バー１１がそれぞれ、少なくとも１箇所で支持具８に支持されており、第１連結バー１１の前端部１１ａが本体バー１０に支持されているパネル型カーテン１００である。【選択図】図１
2013168418.tif 000002
【特許請求の範囲】
【請求項１】
カーテンレールのランナーに支持具を介して吊着されたパネル型カーテンであって、
表側面に設けられた第１レール部、及び、裏側面に設けられた第１支持部、を有する本体バーと、
裏側に突出するように前端部に設けられ前記第１レール部にスライド可能に嵌め込まれた第１スライダー、及び、裏側面に設けられた第２支持部を有する第１連結バーと、
前記第１支持部に支持された第１カーテン材と、
前記第２支持部に支持された第２カーテン材と、
を備え、
前記本体バー及び前記第１連結バーがそれぞれ、少なくとも１箇所で前記支持具に支持されており、
前記第１連結バーの前端部が前記本体バーに支持されているパネル型カーテン。
【請求項２】
前記第１スライダーと前記第１レール部とがバヨネット構造となっている請求項１記載のパネル型カーテン。
【請求項３】
前記第１連結バーの少なくとも中間部が前記支持具に支持されている請求項１又は２に記載のパネル型カーテン。
【請求項４】
前記第１支持部及び前記第２支持部がタッチファスナからなる請求項１〜３のいずれか１項に記載のパネル型カーテン。
【請求項５】
前記第１カーテン材の上端部が前記本体バーよりも上になるように、該第１カーテン材が支持され、
前記第２カーテン材の上端部が前記第１連結バーよりも上になるように、該第２カーテン材が支持される請求項１〜４のいずれか１項に記載のパネル型カーテン。
【請求項６】
前記第１カーテン材の下端部の後端部にはリングが取り付けられ、
前記第２カーテン材の下端部には前端部と後端部とで固定されたリボンが取り付けられ、
前記リボンが前記リング内を通過している請求項１〜５のいずれか１項に記載のパネル型カーテン。
【請求項７】
前記第１連結バーの表側面に第２レール部が設けられており、
裏側に突出するように前端部に設けられ前記第２レール部にスライド可能に嵌め込まれた第２スライダーと、裏側面に設けられ第３カーテン材を支持するための第３支持部とを有する第２連結バー、を更に備える請求項１〜６のいずれか１項に記載のパネル型カーテン。
【発明の詳細な説明】
【技術分野】
【０００１】
本発明は、パネル型カーテンに関し、更に詳しくは、部品点数が比較的少なく、組み付けも容易なパネル型カーテンに関する。
【背景技術】
【０００２】
部屋の遮蔽や部屋の仕切り、区切り等にパネル型カーテンが用いられている。
パネル型カーテンは、カーテンレールにパネル型のカーテン材が吊り下げられ、一般に、複数のカーテン材が一列に配置されている。【０００３】
例えば、カーテンレールを走行するランナーに、カーテン布帛の上縁の先後両端を連結して吊り下げられ、設定された所定の幅Ｗを保ってカーテンレールの長さ方向に移動し開閉操作されるパネル型カーテン（例えば、特許文献１又は２参照）、パネルを取り付け可能で、前後方向に配置された複数のレール部を備え、各レール部の少なくとも両端に支持部が取り付けられ、支持部は、凹部を備えたカーテンランナーに挿嵌可能な第１の突起、もしくは、隣接するレール部の側面に刻まれたパネル移動方向に延びる断面凹状溝に挿嵌可能な第２の突起の少なくとも一方を備え、各レール部の第１の突起が略直線状に配置されたパネルカーテン用レール（例えば、特許文献３参照）、平板状のパネルを複数のハンガーレールに沿って移動可能に支持し、パネルをハンガーレールから吊下支持する吊下げ枠を回動側吊下げ枠と非回動側吊下げ枠に分割し、回動側吊下げ枠を非回動側吊下げ枠に蝶番を支点として回動可能に片持ち支持したパネルカーテン（例えば、特許文献４参照）、板状の複数枚のパネルを、前後方向に一定間隔を隔てた状態でハンガーレールに沿って移動可能に吊下支持したパネルカーテン（例えば、特許文献５参照）等が知られている。
【先行技術文献】
【特許文献】
【０００４】
【特許文献１】特開２００３−１１６７１０号公報
【特許文献２】特開２００３−２６９０５７号公報
【特許文献３】特開２００５−４０２２６号公報
【特許文献４】特開２００７−１０５２３４号公報
【特許文献５】特開２００７−２４４６６１号公報
【発明の概要】
【発明が解決しようとする課題】
【０００５】
しかしながら、上記特許文献１〜５に記載のパネル型カーテンは、各カーテン材（各レール部）の両端にランナーを取り付ける必要があるので、部品点数が多く、組み付けも複雑となる欠点がある。【０００６】
本発明は、上記事情に鑑みてなされたものであり、部品点数が比較的少なく、組み付けも容易なパネル型カーテンを提供することを目的とする。
【課題を解決するための手段】
【０００７】
本発明者らは、上記課題を解決するため鋭意検討したところ、第１連結バーの前端部を支持具ではなく、本体バーで支持することにより、上記課題を解決し得ることを見出し、本発明を完成するに至った。【０００８】
本発明は、（１）カーテンレールのランナーに支持具を介して吊着されたパネル型カーテンであって、表側面に設けられた第１レール部、及び、裏側面に設けられた第１支持部、を有する本体バーと、裏側に突出するように前端部に設けられ第１レール部にスライド可能に嵌め込まれた第１スライダー、及び、裏側面に設けられた第２支持部を有する第１連結バーと、第１支持部に支持された第１カーテン材と、第２支持部に支持された第２カーテン材と、を備え、本体バー及び第１連結バーがそれぞれ、少なくとも１箇所で支持具に支持されており、第１連結バーの前端部が本体バーに支持されているパネル型カーテンに存する。【０００９】
本発明は、（２）第１スライダーと第１レール部とがバヨネット構造となっている上記（１）記載のパネル型カーテンに存する。【００１０】
本発明は、（３）第１連結バーの少なくとも中間部が支持具に支持されている上記（１）又は（２）に記載のパネル型カーテンに存する。【００１１】
本発明は、（４）第１支持部及び第２支持部がタッチファスナからなる上記（１）〜（３）のいずれか１つに記載のパネル型カーテンに存する。【００１２】
本発明は、（５）第１カーテン材の上端部が本体バーよりも上になるように、該第１カーテン材が支持され、第２カーテン材の上端部が第１連結バーよりも上になるように、該第２カーテン材が支持される上記（１）〜（４）のいずれか１つに記載のパネル型カーテンに存する。【００１３】
本発明は、（６）第１カーテン材の下端部の後端部にはリングが取り付けられ、第２カーテン材の下端部には前端部と後端部とで固定されたリボンが取り付けられ、リボンがリング内を通過している上記（１）〜（５）のいずれか１つに記載のパネル型カーテンに存する。【００１４】
本発明は、（７）第１連結バーの表側面に第２レール部が設けられており、裏側に突出するように前端部に設けられ第２レール部にスライド可能に嵌め込まれた第２スライダーと、裏側面に設けられ第３カーテン材を支持するための第３支持部とを有する第２連結バー、を更に備える上記（１）〜（６）のいずれか１つに記載のパネル型カーテンに存する。
【発明の効果】
【００１５】
本発明のパネル型カーテンにおいては、第１連結バーの前端部が、支持具ではなく、本体バーで支持することにより、部品点数を少なくすることができる。
このとき、ランナーに支持具を取り付ける数も減らすことができるので、組み付けが容易となる。
本発明のパネル型カーテンにおいて、本体バー及び第１連結バーは、それぞれ少なくとも１箇所で支持具に支持されるので、支持具の数を極力減らすことができる。
また、支持具を取り付ける箇所も限定されないので、本体バーに対して第１連結バーをスライドさせても支持具が邪魔にならない箇所に取り付ければよい。【００１６】
本発明のパネル型カーテンにおいては、第１スライダーと第１レール部とがバヨネット構造となっている場合、「押し込み」と「回動」の単純な操作により本体バーと第１連結バーとの連結がワンタッチで簡単に行える。
また、構造が複雑でなく、スライドもスムーズに行える。仮に本体バー及び第１連結バーにカーテン材を取り付けた状態であっても、本体バーに第１連結バーを容易に取り付けることができる。【００１７】
本発明のパネル型カーテンにおいては、第１支持部及び第２支持部がタッチファスナからなる場合、カーテン材を、該タッチファスナに単に押し付けるだけで、簡単に取り付けることが可能となる。
このとき、第１カーテン材の上端部が本体バーよりも上になるように、且つ第２カーテン材の上端部が第１連結バーよりも上になるように、取り付けることが好ましい。これにより、カーテンレールと、本体バー又は連結バーとの間の隙間を塞ぐことも可能となる。【００１８】
本発明のパネル型カーテンにおいては、第１カーテン材の下端部の後端部にはリングが取り付けられ、第２カーテン材の下端部には前端部と後端部とで固定されたリボンが取り付けられ、リボンがリング内を通過していると、カーテン材がバタつくことを抑制できる。
また、本体バーに対して第１連結バーをスライドさせる際には、第１カーテン材のリングが、第２カーテン材のリボンに案内されるので、スライドさせ易くなる。【００１９】
本発明のパネル型カーテンにおいては、第２連結バーを更に備えることにより、３枚のカーテン材を取り付けることが可能となる。
また、本体バー、第１連結バー及び第２連結バーを互いにスライドさせることにより、一方では、３枚のカーテン材を一列に配列させることができ、他方では、３枚のカーテン材を互いに重なるように配列させることができる。
【図面の簡単な説明】
【００２０】
【図１】図１（ａ）は、本実施形態に係るパネル型カーテンを展開した状態を示す概略上面図であり、図１（ｂ）は、本実施形態に係るパネル型カーテンを格納した状態を示す概略上面図である。
【図２】図２は、本実施形態に係るパネル型カーテンの一例を示す部分斜視図である。
【図３】図３（ａ）は、本実施形態に係るパネル型カーテンの本体バーを示す表側面図であり、図３（ｂ）は、裏側面図であり、図３（ｃ）は、図３（ｂ）のＡ−Ａ線で切断した断面図である。
【図４】図４（ａ）は、本実施形態に係るパネル型カーテンの第１連結バーを示す表側面図であり、図４（ｂ）は、裏側面図である。
【図５】図５（ａ）は、本実施形態に係るパネル型カーテンにおいて第１連結バーに取り付けられたスライダーを示す上面図であり、図５（ｂ）は、図５（ａ）のＢ方向から見た側面図である。
【図６】図６は、本実施形態に係るパネル型カーテンの第１カーテン材、第２カーテン材及び第３カーテン材の一部分を示す裏側面図である。
【図７】図７は、本実施形態に係るパネル型カーテンに取り付けられる支持具を示す側面図である。
【図８】図８（ａ）〜図８（ｃ）は、本実施形態に係るパネル型カーテンにおいて本体バーに第１連結バーを嵌め込む方法を説明するための説明図である。
【図９】図９（ａ）は、本実施形態に係るパネル型カーテンにおいて第１レールに第１スライダーを押し込んだ状態を示す概略図であり、図９（ｂ）は、第１レールに第１スライダーを押し込んで回動させた状態を示す概略図である。
【発明を実施するための形態】
【００２１】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２２】
図１（ａ）は、本実施形態に係るパネル型カーテンを展開した状態を示す概略上面図であり、図１（ｂ）は、本実施形態に係るパネル型カーテンを格納した状態を示す概略上面図である。
図１（ａ）に示すように、本実施形態に係るパネル型カーテン１００は、本体バー１０と、本体バー１０に連結された連結バー（以下便宜的に「第１連結バー」という。）１１と、第１連結バー１１に連結された連結バー（以下便宜的に「第２連結バー」という。）１２と、本体バー１０に取り付けられる図示しないカーテン材（以下便宜的に「第１カーテン材」という。）と、第１連結バー１１に取り付けられる図示しないカーテン材（以下便宜的に「第２カーテン材」という。）と、第２連結バー１２に取り付けられる図示しないカーテン材（以下便宜的に「第３カーテン材」という。）と、を備える。
【００２３】
パネル型カーテン１００においては、本体バー１０、第１連結バー１１及び第２連結バー１２を備えるので、３枚のカーテン材を取り付けることが可能となっている。
【００２４】
図２は、本実施形態に係るパネル型カーテンの一例を示す部分斜視図である。なお、カー材は図示していない。
図２に示すように、本実施形態に係るパネル型カーテン１００においては、本体バー１０に対して、第１連結バー１１がスライド可能となっている。
また、図示しないが、これと同様に、第１連結バーに対して、第２連結バー１２もスライド可能となっている。
したがって、一方では、図１（ａ）に示すように、パネル型カーテン１００を展開することにより、３枚のカーテン材を一列に配列させることができ、他方では、図１（ｂ）に示すように、パネル型カーテン１００を格納することにより、３枚のカーテン材を互いに重なるように配列させることができる。
【００２５】
図１（ａ）に戻り、パネル型カーテン１００においては、本体バー１０、第１連結バー１１及び第２連結バー１２がそれぞれ、少なくとも１箇所で支持具に支持されている。すなわち、本体バー１０の前端部１０ａ、第１連結バー１１の中間部１１ｃ及び第２連結バー１２の後端部１２ｂには、支持具が取り付けられている。
したがって、パネル型カーテン１００は、１本のカーテンレールのランナーに３つの支持具を介して吊着されることになる。
【００２６】
このとき、第１連結バー１１の前端部１１ａは、本体バー１０の後端部１０ｂに支持され、第２連結バー１２の前端部１２ａは、第１連結バー１１の後端部１１ｂに支持されている。このように、パネル型カーテン１００においては、第１連結バーの両端に支持具を設けずに、一端を別の連結バーに支持させているので、部品点数を少なくすることができる。
また、ランナーに支持具を取り付ける数も減ることにもなるので、組み付けが容易となる。
さらに、本体バー１０、第１連結バー１１及び第２連結バー１２は、それぞれ少ない場合、１箇所で支持具に支持されればよいので、支持具の数を極力減らすことができる。
さらにまた、支持具を取り付ける箇所も限定されないので、本体バー１０に対して第１連結バー１１を、第１連結バー１１に対して第２連結バー１２をスライドさせても支持具が邪魔にならない箇所に取り付ければよい。
【００２７】
図３（ａ）は、本実施形態に係るパネル型カーテンの本体バーを示す表側面図であり、（ｂ）は、裏側面図であり、図３（ｃ）は、図３（ｂ）のＡ−Ａ線で切断した断面図である。
図３（ａ）及び図３（ｃ）に示すように、本体バー１０は、表側面に設けられたレール部（以下便宜的に「第１レール部」という。）１ａと、図３（ｂ）に示すように、裏側面に設けられた支持部（以下便宜的に「第１支持部」という。）２ａとを有する。
【００２８】
パネル型カーテン１００においては、本体バー１０が表側面に第１レール部１ａを有するので、後述する第１連結バー１１のスライダーを嵌め込むことにより、第１連結バー１１が本体バー１０に対してスライド可能となっている。
このとき、本体バー１０においては、両端に止め具６が嵌合して固定されている。そして、該止め具６により、第１連結バー１１のスライダー（図示しない）の第１レール部１ａから離脱が阻止される。なお、両端の止め具６は、ネジＮ等を使って本体バー１０に確実に固定することが好ましい。
また、本体バー１０においては、第１レール部１ａに位置決め具７を設けることにより、スライドするスライダーを所望の位置で止めることができる。すなわち、止め具６から位置決め具７までの距離Ｌを調整することにより、スライダーの移動幅を調整することができるようになっている。
【００２９】
パネル型カーテン１００においては、本体バー１０が裏側面に第１支持部２ａを有するので、後述する第１カーテン材９ａが取り付け可能となっている。
ここで、第１支持部２ａは、タッチファスナからなる。すなわち、本体バー１０の裏側面にはタッチファスナが貼設されている。このため、第１カーテン材９ａを、該タッチファスナに単に押し付けることにより簡単に取り付けることが可能となっている。なお、第１カーテン材９ａは、上端部が本体バー１０よりも上になるように取り付けられ、第１支持部２ａに支持される。
【００３０】
本体バー１０は、前端部１０ａの上縁に支持具（図示しない）を掛止可能な孔８ａが設けられている。したがって、本体バー１０の前端部１０ａの孔８ａに支持具を掛止し、支持具をカーテンレールのライナーに取り付けることにより、本体バー１０の一端がカーテンレールに吊着されることになる。
また、本体バー１０の他端は後述する第１連結バーにより支持される。
【００３１】
図４（ａ）は、本実施形態に係るパネル型カーテンの第１連結バーを示す表側面図であり、図４（ｂ）は、裏側面図である。
図４（ａ）に示すように、第１連結バー１１は、表側面に設けられたレール部（以下便宜的に「第２レール部」という。）１ｂと、図４（ｂ）に示すように、裏側に突出するように前端部１１ａに設けられ第１レール部１ａにスライド可能に嵌め込まれるスライダー（以下便宜的に「第１スライダー」という。）３ａと、裏側面に設けられた支持部（以下便宜的に「第２支持部」という。）２ｂとを有する。
【００３２】
パネル型カーテン１００においては、第１連結バー１１が表側面に第２レール部１ｂを有するので、後述する第２連結バー１２のスライダーを嵌め込むことにより、第２連結バー１２が第１連結バー１１に対してスライド可能となっている。
このとき、第１連結バー１１においては、前端部１１ａに第１スライダー３ａが嵌合して固定されており、後端部１１ｂに止め具６が嵌合して固定されている。そして、止め具の働きも兼ねる第１スライダー３ａと、他方側の止め具６とにより、第２連結バー１２のスライダー（図示しない）の第２レール部１ｂから離脱が阻止される。なお、前端部１１ａの第１スライダー３ａ及び後端部１１ｂの止め具６は、ネジＮ等を使って第１連結バー１１に確実に固定することが好ましい。
【００３３】
パネル型カーテン１００においては、第１連結バー１１が裏側面に第２支持部２ｂを有するので、後述する第２カーテン材が取り付け可能となっている。
ここで、第２支持部２ｂは、タッチファスナからなる。すなわち、第１連結バー１１の裏側面にはタッチファスナが貼設されている。このため、第２カーテン材を、該タッチファスナに単に押し付けることにより簡単に取り付けることが可能となっている。なお、第２カーテン材は、上端部が第１連結バー１１よりも上になるように取り付けられ、第２支持部２ｂに支持される。
【００３４】
パネル型カーテン１００においては、第１連結バー１１が第１スライダー３ａを有するので、第１スライダー３ａを本体バー１０の第１レール部１ａに嵌め込むことにより本体バー１０に対して、スライドさせることができる。
【００３５】
図５（ａ）は、本実施形態に係るパネル型カーテンにおいて第１連結バーに取り付けられたスライダーを示す上面図であり、図５（ｂ）は、図５（ａ）のＢ方向から見た側面図である。
図５（ａ）及び図５（ｂ）に示すように、第１スライダー３ａは、ベース部２０ｃと、該ベース部２０ｃの裏側面側にそれより細く設けられた首部２０ａと、該首部２０ａにそれより拡大した頭部２０ｂとからなる。すなわち、ベース部２０ｃと頭部２０ｂとの間には首部２０ａ長さに相当する空間が生じている。
【００３６】
ベース部２０ｃは、該ベース部２０ｃに固定された連結部２０ｃ１を介して、第１連結バー１１の前端部１１ａに嵌合することにより固定可能となっている（図４参照）。より詳しくは、連結部２０ｃ１は、第２レール部１ｂの内部の空隙に嵌っている。
このとき、連結部２０ｃ１の側面に備わっている弾性片２０ｃ２が第２レール部１ｂを押圧するようになっている。このため、パネル型カーテン１００においては、第１スライダー３ａを第１連結バー１１に余裕をもって嵌合することができる。なお、第１スライダー３ａは、ネジＮ等を使って第１連結バー１１に確実に固定することが好ましい。
また、首部２０ａと頭部２０ｂとは、側面視Ｔ字状となっている。このため、本体バー１０の第１レール部１ａに容易に遊嵌させることができる。
【００３７】
図４に戻り、第１連結バー１１は、中間部１１ｃの上縁に支持具（図示しない）を掛止可能な孔８ａが設けられている。したがって、第１連結バーの前端部１１ａに設けられた第１スライダー３ａがカーテンレールに吊着された本体バー１０に嵌め込まれている場合、連結バー１１の中間部１１ｃの孔８ａに支持具を掛止し、支持具をカーテンレールのライナーに取り付けることにより、第１連結バー１１の一端がカーテンレールに吊着されることになる。
また、第１連結バー１１の他端である前端部１１ａは、上述したように、本体バー１０
に連結されているので、本体バー１１により支持されることになる。
【００３８】
第２連結バー１２は、表側面に設けられたレール部（以下便宜的に「第３レール部」という。）１ｃと、裏側に突出するように前端部１２ａに設けられ第２レール部１ｂにスライド可能に嵌め込まれたスライダー（以下便宜的に「第２スライダー」という。）３ｂと、裏側面に設けられた支持部（以下便宜的に「第３支持部」という。）２ｃとを有する（図１（ａ）参照）。
ここで、第２連結バー１２は、第１連結バー１１（図４参照）と同じ構造となっているので、詳細な説明は省略する。なお、第２連結バー１２の第３レール部１ｃは、第１連結バー１１の第２レール部１ｂに相当し、第２連結バー１２の第２スライダー３ｂは、第１連結バー１１の第１スライダー３ａに相当し、第２連結バー１２の第３支持部２ｃは、第１連結バー１１の第２支持部２ｂに相当する。また、第１連結バー１１の中間部１１ｃに設けられた孔８ａは、第２連結バー１２の後端部１２ｂの上縁に設けることが好ましい。
【００３９】
パネル型カーテン１００においては、第２連結バー１２の第２スライダー３ｂを第１連結バー１１の第２レール部１ｂに嵌め込むことにより、第２連結バー１２を第１連結バー１１に対して、スライドさせることができる。
また、第２連結バーの前端部１２ｂに設けられた第２スライダー３ｂがカーテンレールに吊着された第１連結バー１１に嵌め込まれている場合、第２連結バー１２の後端部１２ｂの孔８ａに支持具を掛止し、支持具をカーテンレールのライナーに取り付けることにより、第２連結バー１２がカーテンレールに吊着されることになる。
【００４０】
図６は、本実施形態に係るパネル型カーテンの第１カーテン材、第２カーテン材及び第３カーテン材を示す裏側面図である。
図６に示すように、第１カーテン材９ａ、第２カーテン材９ｂ及び第３カーテン材９ｃは、同じ矩形状のものが用いられる。
また、これらの材質としては、紙、布、フィルム等、公知のものが適宜用いられる。
【００４１】
パネル型カーテン１００において、第１カーテン材９ａは、第１支持部２ａに支持されることで本体バー１０に取り付けられ、第２カーテン材９ｂは、第２支持部２ｂに支持されることで、第１連結バー１１に取り付けられ、第３カーテン材９ｃは、第３支持部２ｃに支持されることで、第２連結バー１２に取り付けられる。
このとき、第１カーテン材９ａは、上端部が本体バー１０よりも上になるように取り付けられ、第２カーテン材９ｂは、上端部が第１連結バー１１よりも上になるように取り付けられ、第３カーテン材９ｃは、上端部が第２連結バー１２よりも上になるように取り付けられる。これにより、カーテンレールと、本体バー１０、第１連結バー１１及び第２連結バー１２との間の隙間を塞ぐことができるので、見栄えが良くなる。
【００４２】
パネル型カーテン１００において、第１カーテン材９ａは、下端部の後端部にリング（以下便宜的に「第１リング」という。）１５ａが取り付けられ、且つ下端部の前端部と後端部とで固定されたリボン（以下便宜的に「第１リボン」という。）１６ａが取り付けられている。
また、第２カーテン材９ｂは、下端部の後端部にリング（以下便宜的に「第２リング」という。）１５ｂが取り付けられ、且つ下端部の前端部と後端部とで固定されたリボン（以下便宜的に「第２リボン」という。）１６ｂが取り付けられている。
さらに、第３カーテン材９ｃは、下端部の後端部にリング（以下便宜的に「第３リング」という。）１５ｃが取り付けられ、且つ下端部の前端部と後端部とで固定されたリボン（以下便宜的に「第３リボン」という。）１６ｃが取り付けられている。
【００４３】
そして、第２カーテン材９ｂの第２リボン１６ｂが第１カーテン材９ａの第１リング１５ａ内を通過しており、第３カーテン材９ｃの第３リボン１６ｃが第２カーテン材９ｂの第２リング１５ｂ内を通過している。
これもより、各カーテン材をスライドさせても過度にバタつくことが抑制される。
また、本体バー１０に対して第１連結バー１１をスライドさせる際には、第１カーテン材９ａの第１リング１５ａが第２カーテン材９ｂの第２リボン１６ｂに案内され、第１連結バー１１に対して第２連結バー１２をスライドさせる際には、第２カーテン材９ｂの第２リング１５ｂが第３カーテン材９ｃの第３リボン１６ｃに案内されるので、スライドさせ易くなる。
【００４４】
図７は、本実施形態に係るパネル型カーテンに取り付けられる支持具を示す側面図である。
図７に示すように、支持具８は、側面Ｓ字状となっており、屈曲した屈曲部１３ａから先端に向かってストッパー１３ｂが設けられている。これにより、取り付けが容易であり、且つ外れにくいという利点がある。なお、カーテンレール側に掛止される屈曲部分は大きく、カーテン材側に掛止される屈曲部分は小さい。
【００４５】
パネル型カーテン１００においては、支持具８の一方の先端をカーテンレールのランナーに挿入して掛止し、他方の先端を本体バー１０、第１連結バー１１及び第２連結バー１２それぞれの孔８ａに挿入することにより、本体バー１０、第１連結バー１１及び第２連結バー１２が支持具８を介して、カーテンレールのランナーに吊着されることになる。すなわち、パネル型カーテン１００は、従来のカーテンレールのランナーに支持具８を介して吊着可能となっている。
このとき、上述したように、支持具８は、ストッパー１３ｂを備えているので、ランナーや孔８ａから不作為に外れることが抑制される。
【００４６】
次に、本実施形態に係るパネル型カーテン１００において、本体バー１０を第１連結バー１１に嵌め込む方法について説明する。なお、本体バー及び第１連結バー単独で示すが、カーテン材を取り付けた状態でも嵌め込む操作は同じである。また、第１連結バー１１を第２連結バー１２に嵌め込む方法は、これと同様であるので省略する。
【００４７】
図８（ａ）〜図８（ｃ）は、本実施形態に係るパネル型カーテンにおいて本体バーに第１連結バーを嵌め込む方法を説明するための説明図である。
図９（ａ）は、本実施形態に係るパネル型カーテンにおいて第１レールに第１スライダーを押し込んだ状態を示す概略図であり、図９（ｂ）は、第１レールに第１スライダーを押し込んで回動させた状態を示す概略図である。
【００４８】
まず、図８（ａ）に示すように、本体バー１０に対し、第１連結バー１１を略９０度の角度に配置する。そして、第１レール部１ａの空隙に頭部２０ｂを押し込む。
【００４９】
ここで、図５（ｂ）に示す第１スライダー３ａの頭部の長径Ｌ２、図４（ｂ）に示す第１スライダー３ａの頭部の短径Ｌ１、図５（ｂ）に示すベース部２０ｃの長さＬ５、及び、図３（ｃ）に示す本体バー１０における第１レール部１ａの垂下部Ｐ１及び起立部Ｐ２の間の距離Ｌ３、本体バー１０における第１レール部１ａの内部の空隙の距離Ｌ４（すなわち、空隙を形成する上壁と下壁との間の距離）の関係が、
Ｌ１＜Ｌ３＜Ｌ２＜Ｌ４
Ｌ３＜Ｌ５
となっている。
このように、頭部２０ｂの短径Ｌ１が第１レール部１ａの空隙の距離Ｌ３よりも小さくなっているので、図９（ａ）に示すように、第１スライダー３ａを第１レール部１ａに容易に嵌め込むことができる。
【００５０】
そして、図８（ｂ）に示すように、本体バー１０に対し、第１連結バー１１を回動させ、図８（ｃ）に示すように、本体バー１０と第１連結バー１１とを直線状にする。この場合、図９（ｂ）に示すように、頭部２０ｂの長径Ｌ２が、第１レール部１ａの垂下部Ｐ１及び起立部Ｐ２の間の距離Ｌ３よりも大きくなっており、且つ第１レール部１ａの内部の空隙の距離Ｌ４よりも小さくなっているので、第１スライダー３ａをスライドさせても第１レール部１ａからの離脱が阻止されることになる。
【００５１】
このように、パネル型カーテン１００は、第１スライダー３ａと第１レール部１ａとが「押し込み」と「回動」の操作により結合されるバヨネット構造になっている。このため、「押し込み」と「回動」の単純な操作により本体バーと第１連結バーとの連結がワンタッチで簡単に行える。なお、本体バー１０に第１カーテン材９ａを、第１連結バー１１に第２カーテン材９ｂを取り付けた状態であっても、本体バー１０に第１連結バー１１を容易に取り付けることが可能となる。特に、第１カーテン材９ａを取り付けた状態の本体バー１０をカーテンレールに取り付けた後に、今度は、第２カーテン材９ｂを取り付けた状態の第１連結バー１１を本体バー１０に容易に取り付けることができる。
【００５２】
また、パネル型カーテン１００においては、第１スライダー３ａと第１レール部１ａとがバヨネット構造になっているので、構造がシンプルであり、本体バー１０に対して、第１連結バー１１をスムーズにスライドさせることが可能となる。ちなみに、この場合、頭部２０ｂの下端面が下壁に当接して滑ることによりスムーズな動きとなる。
【００５３】
以上、本発明の好適な実施形態について説明したが、本発明は上記実施形態に限定されるものではない。
【００５４】
例えば、本実施形態に係るパネル型カーテン１００は、本体バー１０、第１連結バー１１及び第２連結バー１２を有しているが、第２連結バー１２を有していなくてもよい。この場合、２枚のカーテン材を取り付けることになる。
また、本実施形態に係るパネル型カーテン１００は、本体バー１０、第２連結バー１１及び第２連結バー１２に加え、第１連結バー１１と同形状の別の連結バーを更に有していてもよい。この場合、３枚以上のカーテン材を取り付けることができる。すなわち、連結バーを増やすことにより、カーテン材を所望の数だけ配置することが可能となる。
【００５５】
本実施形態に係るパネル型カーテン１００においては、本体バー（第１レール部）及び連結バー（第２レール部）が金属で、スライダーは合成樹脂で形成されていることが好ましいが、必ずしも、このように限定されることはない。
【００５６】
本実施形態に係るパネル型カーテン１００において、第１支持部２ａ及び第２支持部２ｂは、タッチファスナからなっているが、これに限定されない。例えば、本体バー１０及び第１連結バー１１の下側端部に孔を設け、吊り下げ具を介してカーテン材を取り付けてもよい。
【００５７】
本実施形態に係るパネル型カーテン１００において、本体バー１０には、前端部１０ａの上縁に支持具を掛止可能な孔８ａが設けられているが、これに加え、下縁にも孔が設けられていてもよい。これにより、本体バー１０を上下逆に用いることも可能となる。なお、第１連結バー１１、第２連結バー１２についても同様である。
【００５８】
本実施形態に係るパネル型カーテン１００においては、本体バー１０の前端部１０ａ、第１連結バーの中間部１１ｃ、及び、第２連結バー１２の後端部１２ｂに孔８ａが設けられているが、孔８ａの位置は、特に限定されない。
なお、端に配置される本体バーの前端部、端に配置される連結バーの後端部、これらの間に配置される連結バーの中間部、に孔８ａを設け、支持具で支持することが好ましい。
また、孔８ａの数も１つの本体バー、連結バーに対し、複数あってもよい。この場合、支持具を取り付ける位置を適宜変えることができる。
【００５９】
本実施形態に係るパネル型カーテン１００において、カーテン材は、リング及びリボンが取り付けられているが、必ずしも取り付ける必要はない。
【００６０】
本実施形態に係るパネル型カーテン１００においては、支持具３の形状が側面Ｓ字状となっているが、この形状に限定されない。
【産業上の利用可能性】
【００６１】
本発明に係るパネル型カーテン１００は、部屋の遮蔽や部屋の仕切り、区切り等に好適に用いられる。本発明に係るパネル型カーテン１００によれば、部品点数が比較的少なく、組み付けも容易となる。
【符号の説明】
【００６２】
１ａ・・・第１レール部（レール部）
１ｂ・・・第２レール部（レール部）
１ｃ・・・第３レール部（レール部）
２ａ・・・第１支持部（支持部）
２ｂ・・・第２支持部（支持部）
２ｃ・・・第３支持部（支持部）
３ａ・・・第１スライダー（スライダー）
３ｂ・・・第２スライダー（スライダー）
６・・・止め具
７・・・位置決め具
８・・・支持具
８ａ・・・孔
９ａ・・・第１カーテン材（カーテン材）
９ｂ・・・第２カーテン材（カーテン材）
９ｃ・・・第３カーテン材（カーテン材）
１０・・・本体バー
１０ａ，１１ａ，１２ａ・・・前端部
１０ｂ，１１ｂ，１２ｂ・・・後端部
１１・・・第１連結バー（連結バー）
１１ｃ・・・中間部
１２・・・第２連結バー（連結バー）
１３ａ・・・屈曲部
１３ｂ・・・ストッパー
１５ａ・・・第１リング（リング）
１５ｂ・・・第２リング（リング）
１５ｃ・・・第３リング（リング）
１６ａ・・・第１リボン（リボン）
１６ｂ・・・第２リボン（リボン）
１６ｃ・・・第３リボン（リボン）
２０ａ・・・首部
２０ｂ・・・頭部
２０ｃ・・・ベース部
２０ｃ１・・・連結部
２０ｃ２・・・弾性片
１００・・・パネル型カーテン
Ｌ，Ｌ３，Ｌ４・・・距離
Ｌ１・・・短径
Ｌ２・・・長径
Ｌ５・・・長さ
Ｎ・・・ネジ
Ｐ１・・・垂下部
Ｐ２・・・起立部
【図１】
2013168418.tif 000003
【図２】
2013168418.tif 000004
【図３】
2013168418.tif 000005
【図４】
2013168418.tif 000006
【図５】
2013168418.tif 000007
【図６】
2013168418.tif 000008
【図７】
2013168418.tif 000009
【図８】
2013168418.tif 000010
【図９】
2013168418.tif 000011
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
カーテンレールのランナーに支持具を介して吊着されたパネル型カーテンであって、
表側面に設けられた第１レール部、及び、裏側面に設けられた第１支持部、を有する本体バーと、
裏側に突出するように前端部に設けられ前記第１レール部にスライド可能に嵌め込まれた第１スライダー、及び、裏側面に設けられた第２支持部を有する第１連結バーと、
前記第１支持部に支持された第１カーテン材と、
前記第２支持部に支持された第２カーテン材と、
を備え、
前記本体バー及び前記第１連結バーがそれぞれ、少なくとも１箇所で前記支持具に支持され、
前記第１連結バーの前端部が前記本体バーに支持され、
前記第１スライダーと前記第１レール部とがバヨネット構造となっており、
前記第１レール部に対し前記第１スライダーを押し込んで回動させることにより、前記本体バーと前記第１連結バーとの連結が行われるパネル型カーテン。
【請求項２】
前記第１スライダーが、ベース部と、該ベース部の裏側面側にそれより細く設けられた首部と、該首部にそれより拡大した頭部とからなり、
前記頭部の長径Ｌ２、前記頭部の短径Ｌ１、前記ベース部の長さＬ５、及び、前記第１レール部の垂下部Ｐ１及び起立部Ｐ２の間の距離Ｌ３、前記第１レール部の内部の空隙の距離Ｌ４の関係が、
Ｌ１＜Ｌ３＜Ｌ２＜Ｌ４
Ｌ３＜Ｌ５
の関係を満たす請求項１記載のパネル型カーテン。
【請求項３】
前記第１連結バーの少なくとも中間部が前記支持具に支持されている請求項１又は２に記載のパネル型カーテン。
【請求項４】
前記第１支持部及び前記第２支持部がタッチファスナからなる請求項１〜３のいずれか１項に記載のパネル型カーテン。
【請求項５】
前記第１カーテン材の上端部が前記本体バーよりも上になるように、該第１カーテン材が支持され、
前記第２カーテン材の上端部が前記第１連結バーよりも上になるように、該第２カーテン材が支持される請求項１〜４のいずれか１項に記載のパネル型カーテン。
【請求項６】
前記第１カーテン材の下端部の後端部にはリングが取り付けられ、
前記第２カーテン材の下端部には前端部と後端部とで固定されたリボンが取り付けられ、
前記リボンが前記リング内を通過している請求項１〜５のいずれか１項に記載のパネル型カーテン。
【請求項７】
前記第１連結バーの表側面に第２レール部が設けられており、
裏側に突出するように前端部に設けられ前記第２レール部にスライド可能に嵌め込まれた第２スライダーと、裏側面に設けられ第３カーテン材を支持するための第３支持部とを有する第２連結バー、を更に備える請求項１〜６のいずれか１項に記載のパネル型カーテン。
【手続補正２】
【補正対象書類名】明細書
【補正対象項目名】０００８
【補正方法】変更
【補正の内容】
【０００８】
本発明は、（１）カーテンレールのランナーに支持具を介して吊着されたパネル型カーテンであって、表側面に設けられた第１レール部、及び、裏側面に設けられた第１支持部、を有する本体バーと、裏側に突出するように前端部に設けられ第１レール部にスライド可能に嵌め込まれた第１スライダー、及び、裏側面に設けられた第２支持部を有する第１連結バーと、第１支持部に支持された第１カーテン材と、第２支持部に支持された第２カーテン材と、を備え、本体バー及び第１連結バーがそれぞれ、少なくとも１箇所で支持具に支持され、第１連結バーの前端部が本体バーに支持され、第１スライダーと第１レール部とがバヨネット構造となっており、第１レール部に対し第１スライダーを押し込んで回動させることにより、本体バーと第１連結バーとの連結が行われるパネル型カーテンに存する。
【手続補正３】
【補正対象書類名】明細書
【補正対象項目名】０００９
【補正方法】変更
【補正の内容】
【０００９】
本発明は、（２）第１スライダーが、ベース部と、該ベース部の裏側面側にそれより細く設けられた首部と、該首部にそれより拡大した頭部とからなり、頭部の長径Ｌ２、頭部の短径Ｌ１、ベース部の長さＬ５、及び、第１レール部の垂下部Ｐ１及び起立部Ｐ２の間の距離Ｌ３、第１レール部の内部の空隙の距離Ｌ４の関係が、
Ｌ１＜Ｌ３＜Ｌ２＜Ｌ４
Ｌ３＜Ｌ５
の関係を満たす上記（１）記載のパネル型カーテンに存する。
【国際調査報告】
2013168418.tif 000012
2013168418.tif 000013
2013168418.tif 000014